(57)【要約】  携帯移動通信端末装置１０５はダウンリンクの受信電界強度が所定値以下になると第一の無線局１０３を介して検索サーバー１０２に検索要求を送信し、新たな基地局の選択を開始させると同時に、アップリンクの複数の送信動作条件（ＵＴＰ）のうちの少なくとも１つを変更し、変更したアップリンクの送信動作条件（ＵＴＰ）を第一の無線局１０３に通知する。第一の無線局１０３は通知されたアップリンク送信動作条件（ＵＴＰ）に対応するアップリンクの受信動作条件（ＵＲＰ）を変更すると同時に、ダウンリンクの複数の送信動作条件（ＤＴＰ）のうちの少なくとも１つを変更し、変更したダウンリンクの送信動作条件（ＤＴＰ）を携帯移動通信端末装置１０５に通知する。
2007129595.tif 000002
【特許請求の範囲】
【請求項１】
通信網と、
前記通信網に接続された検索サーバーと、
前記通信網に接続された複数の無線局と、
前記複数の無線局のうちの任意の１つの無線局と一組のアップリンク及びダウンリンクからなる第一無線リンクを維持しながら通信する携帯移動通信端末装置と、
から構成される移動無線通信システムであって、
前記携帯移動通信端末装置は、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知し、
前記通信中の無線局は、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知し、
前記携帯移動通信端末装置は、前記検索サーバーから通知される前記新たな無線局との間に第二無線リンクを設定するまで、前記通信中の無線局から通知された前記変更したダウンリンクの送信動作条件（ＤＴＰ）に対応するダウンリンクの受信動作条件（ＤＲＰ）を変更することによって、前記通信中の無線局との間において前記第一無線リンクを維持することを特徴とする移動無線通信システム。
【請求項２】
前記無線局はＷＬＡＮ（Ｗｉｒｅｌｅｓｓ  Ｌｏｃａｌ  Ａｒｅａ  Ｎｅｔｗｏｒｋ）機能を有するアクセスポイントであることを特徴とする請求項１に記載の移動無線通信システム。
【請求項３】
前記携帯移動通信端末装置は、受信電界強度、送信電力及びエラーレートに基づき、前記アップリンクの複数の送信動作条件（ＵＴＰ）のうちの少なくとも１つを変更することを特徴とする請求項１または２に記載の移動無線通信システム。
【請求項４】
前記アップリンクの複数の送信動作条件（ＵＴＰ）のうちの少なくとも１つは変調方式であることを特徴とする請求項３に記載の移動無線通信システム。
【請求項５】
前記アップリンクの複数の送信動作条件（ＵＴＰ）のうちの少なくとも１つはコーディングレートであることを特徴とする請求項３または４に記載の移動無線通信システム。
【請求項６】
前記第一無線リンクはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式により設定され、前記アップリンクの複数の送信動作条件（ＵＴＰ）のうちの少なくとも１つは前記ＯＦＤＭＡのサブチャンネル数であることを特徴とする請求項３乃至５の何れか一項に記載の移動無線通信システム。
【請求項７】
前記通信中の無線局は、前記携帯移動通信端末装置から前記アップリンクの送信動作条件の変更通知を受けると、前記通信中の無線局の受信電界強度、送信電力及びエラーレートに基づき、前記通信中の無線局の前記ダウンリンクの送信動作条件（ＤＴＰ）のうちの少なくとも１つを変更することを特徴とする請求項３乃至６の何れか一項に記載の移動無線通信システム。
【請求項８】
前記ダウンリンクの送信動作条件（ＤＴＰ）のうちの少なくとも１つは変調方式であることを特徴とする請求項７に記載の移動無線通信システム。
【請求項９】
前記ダウンリンクの送信動作条件（ＤＴＰ）のうちの少なくとも１つはコーディングレートであることを特徴とする請求項７または８に記載の移動無線通信システム。
【請求項１０】
前記ダウンリンクの送信動作条件（ＤＴＰ）のうちの少なくとも１つは前記ＯＦＤＭＡのサブチャンネル数であることを特徴とする請求項７乃至９の何れか一項に記載の移動無線通信システム。
【請求項１１】
前記携帯移動通信端末装置は、パケットの衝突回数が予め定められた所定値を超えたときに、前記通信中の無線局を介して前記検索要求を前記検索サーバーに送出することを特徴とする請求項１乃至１０の何れか一項に記載の移動無線通信システム。
【請求項１２】
前記携帯移動通信端末装置は、パケットの伝搬遅延が予め定められた所定値を超えたときに、前記通信中の無線局を介して前記検索要求を前記検索サーバーに送出することを特徴とする請求項１乃至１１の何れか一項に記載の移動無線通信システム。
【請求項１３】
前記携帯移動通信端末装置は互いに通信方式の異なる複数の無線インターフェースを備えており、
前記携帯移動通信端末装置は、前記複数の無線インターフェースにより前記通信中の無線局を含む複数の無線局と複数の無線リンクを同時に設定し、前記複数の無線インターフェース間の内部干渉を検知し、前記複数の無線インターフェースのうちの１つの無線インターフェースの動作条件を変更して前記内部干渉を解消することを特徴とする請求項１乃至１２の何れか一項に記載の移動無線通信システム。
【請求項１４】
前記携帯移動通信端末装置は携帯電話装置からなるものであることを特徴とする請求項１乃至１３の何れか一項に記載の移動無線通信システム。
【請求項１５】
通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおけるハンドオーバー実行方法であって、
前記携帯移動通信端末装置が、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知する第一の過程と、
前記通信中の無線局が、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知する第二の過程と、
前記携帯移動通信端末装置が、前記通信中の無線局から通知された前記変更したダウンリンクの送信動作条件（ＤＴＰ）に対応するダウンリンクの受信動作条件（ＤＲＰ）を変更することによって、前記通信中の無線局との間において前記第一無線リンクを維持する第三の過程と、
前記携帯移動通信端末装置が、前記検索サーバーから通知される前記新たな無線局との間に第二無線リンクを設定する第四の過程と、
からなることを特徴とするハンドオーバー実行方法。
【請求項１６】
前記無線局はＷＬＡＮ（Ｗｉｒｅｌｅｓｓ  Ｌｏｃａｌ  Ａｒｅａ  Ｎｅｔｗｏｒｋ）機能を有するアクセスポイントであることを特徴とする請求項１５に記載のハンドオーバー実行方法。
【請求項１７】
前記第一の過程においては、受信電界強度、送信電力及びエラーレートに基づき、前記アップリンクの複数の送信動作条件（ＵＴＰ）のうちの少なくとも１つが変更されることを特徴とする請求項１５または１６に記載のハンドオーバー実行方法。
【請求項１８】
前記アップリンクの複数の送信動作条件（ＵＴＰ）のうちの少なくとも１つは変調方式であることを特徴とする請求項１７に記載のハンドオーバー実行方法。
【請求項１９】
前記アップリンクの複数の送信動作条件（ＵＴＰ）のうちの少なくとも１つはコーディングレートであることを特徴とする請求項１７または１８に記載のハンドオーバー実行方法。
【請求項２０】
前記第一無線リンクはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式により設定され、前記アップリンクの複数の送信動作条件（ＵＴＰ）のうちの少なくとも１つは前記ＯＦＤＭＡのサブチャンネル数であることを特徴とする請求項１７乃至１９の何れか一項に記載のハンドオーバー実行方法。
【請求項２１】
前記第二の過程において、前記通信中の無線局は、前記携帯移動通信端末装置から前記アップリンクの送信動作条件の変更通知を受けると、前記通信中の無線局の受信電界強度、送信電力及びエラーレートに基づき、前記通信中の無線局の前記ダウンリンクの送信動作条件（ＤＴＰ）のうちの少なくとも１つを変更することを特徴とする請求項１７乃至２０の何れか一項に記載のハンドオーバー実行方法。
【請求項２２】
前記ダウンリンクの送信動作条件（ＤＴＰ）のうちの少なくとも１つは変調方式であることを特徴とする請求項２１に記載のハンドオーバー実行方法。
【請求項２３】
前記ダウンリンクの送信動作条件（ＤＴＰ）のうちの少なくとも１つはコーディングレートであることを特徴とする請求項２１または２２に記載のハンドオーバー実行方法。
【請求項２４】
前記ダウンリンクの送信動作条件（ＤＴＰ）のうちの少なくとも１つは前記ＯＦＤＭＡのサブチャンネル数であることを特徴とする請求項２１乃至２３の何れか一項に記載のハンドオーバー実行方法。
【請求項２５】
前記第一の過程において、前記携帯移動通信端末装置が、パケットの衝突回数が予め定められた所定値を超えたときに、前記通信中の無線局を介して前記検索要求を前記検索サーバーに送出することを特徴とする請求項１５乃至２４の何れか一項に記載のハンドオーバー実行方法。
【請求項２６】
前記第一の過程において、前記携帯移動通信端末装置が、パケットの伝搬遅延が予め定められた所定値を超えたときに、前記通信中の無線局を介して前記検索要求を前記検索サーバーに送出することを特徴とする請求項１５乃至２５の何れか一項に記載のハンドオーバー実行方法。
【請求項２７】
前記携帯移動通信端末装置は互いに通信方式の異なる複数の無線インターフェースを備えており、
前記携帯移動通信端末装置が、前記複数の無線インターフェースにより前記通信中の無線局を含む複数の無線局と複数の無線リンクを同時に設定し、前記複数の無線インターフェース間の内部干渉を検知し、前記複数の無線インターフェースのうちの１つの無線インターフェースの動作条件を変更して前記内部干渉を解消する過程をさらに備えることを特徴とする請求項１５乃至２６の何れか一項に記載のハンドオーバー実行方法。
【請求項２８】
通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおける前記無線局であって、
前記携帯移動通信端末装置は、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知するものである場合において、
前記通信中の無線局は、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知するものであることを特徴とする無線局。
【請求項２９】
前記無線局はＷＬＡＮ（Ｗｉｒｅｌｅｓｓ  Ｌｏｃａｌ  Ａｒｅａ  Ｎｅｔｗｏｒｋ）機能を有するアクセスポイントであることを特徴とする請求項２８に記載の無線局。
【請求項３０】
前記通信中の無線局は、前記携帯移動通信端末装置から前記アップリンクの送信動作条件の変更通知を受けると、前記通信中の無線局の受信電界強度、送信電力及びエラーレートに基づき、前記通信中の無線局の前記ダウンリンクの送信動作条件（ＤＴＰ）のうちの少なくとも１つを変更することを特徴とする請求項２８または２９に記載の無線局。
【請求項３１】
前記ダウンリンクの送信動作条件（ＤＴＰ）のうちの少なくとも１つは変調方式であることを特徴とする請求項３０に記載の無線局。
【請求項３２】
前記ダウンリンクの送信動作条件（ＤＴＰ）のうちの少なくとも１つはコーディングレートであることを特徴とする請求項３０または３１に記載の無線局。
【請求項３３】
前記ダウンリンクの送信動作条件（ＤＴＰ）のうちの少なくとも１つは前記ＯＦＤＭＡのサブチャンネル数であることを特徴とする請求項３０乃至３２の何れか一項に記載の無線局。
【請求項３４】
通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおける前記携帯移動通信端末装置であって、
前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知し、
前記通信中の無線局が、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知すると、前記検索サーバーから通知される前記新たな無線局との間に第二無線リンクを設定するまで、前記通信中の無線局から通知された前記変更したダウンリンクの送信動作条件（ＤＴＰ）に対応するダウンリンクの受信動作条件（ＤＲＰ）を変更することによって、前記通信中の無線局との間において前記第一無線リンクを維持することを特徴とする携帯移動通信端末装置。
【請求項３５】
受信電界強度、送信電力及びエラーレートに基づき、前記アップリンクの複数の送信動作条件（ＵＴＰ）のうちの少なくとも１つを変更することを特徴とする請求項３４に記載の携帯移動通信端末装置。
【請求項３６】
前記アップリンクの複数の送信動作条件（ＵＴＰ）のうちの少なくとも１つは変調方式であることを特徴とする請求項３５に記載の携帯移動通信端末装置。
【請求項３７】
前記アップリンクの複数の送信動作条件（ＵＴＰ）のうちの少なくとも１つはコーディングレートであることを特徴とする請求項３５または３６に記載の携帯移動通信端末装置。
【請求項３８】
パケットの衝突回数が予め定められた所定値を超えたときに、前記通信中の無線局を介して前記検索要求を前記検索サーバーに送出することを特徴とする請求項３４乃至３７の何れか一項に記載の携帯移動通信端末装置。
【請求項３９】
パケットの伝搬遅延が予め定められた所定値を超えたときに、前記通信中の無線局を介して前記検索要求を前記検索サーバーに送出することを特徴とする請求項３４乃至３８の何れか一項に記載の携帯移動通信端末装置。
【請求項４０】
互いに通信方式の異なる複数の無線インターフェースを備えており、
前記複数の無線インターフェースにより前記通信中の無線局を含む複数の無線局と複数の無線リンクを同時に設定し、前記複数の無線インターフェース間の内部干渉を検知し、前記複数の無線インターフェースのうちの１つの無線インターフェースの動作条件を変更して前記内部干渉を解消することを特徴とする請求項３４乃至３９の何れか一項に記載の携帯移動通信端末装置。
【請求項４１】
前記携帯移動通信端末装置は携帯電話装置からなるものであることを特徴とする請求項３４乃至４０の何れか一項に記載の携帯移動通信端末装置。
【請求項４２】
通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおけるハンドオーバー実行方法を前記無線局を構成するコンピュータに実行させるためのプログラムであって、
前記プログラムが行う処理は、
前記携帯移動通信端末装置が、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知する場合において、
前記通信中の無線局が、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知する処理からなるものであるプログラム。
【請求項４３】
通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおけるハンドオーバー実行方法を前記携帯移動通信端末装置を構成するコンピュータに実行させるためのプログラムであって、
前記プログラムが行う処理は、
前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知する第一の処理と、
前記通信中の無線局が、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知する場合において、前記通信中の無線局から通知された前記変更したダウンリンクの送信動作条件（ＤＴＰ）に対応するダウンリンクの受信動作条件（ＤＲＰ）を変更することによって、前記通信中の無線局との間において前記第一無線リンクを維持する第二の処理と、
前記検索サーバーから通知される前記新たな無線局との間に第二無線リンクを設定する第三の処理と、
からなるものであるプログラム。
【発明の詳細な説明】
【技術分野】
【０００１】
本発明は移動無線通信網のハンドオーバー技術に関する。具体的には、本発明は、移動無線通信システム、同システムにおけるハンドオーバー実行方法、同システムにおける無線局、同システムにおける携帯移動通信端末装置、前記ハンドオーバー実行方法を前記無線局に実行させるためのプログラム、並びに、前記ハンドオーバー実行方法を前記携帯移動通信端末装置に実行させるためのプログラムに関する。
【背景技術】
【０００２】
隣接基地局間におけるハンドオーバーについては、従来の多くの技術が提案されている。【０００３】
例えば特許文献１にはその一例が記載されている。【０００４】
携帯移動端末装置が第一の基地局と通信中であり、かつ、第一の基地局から、第一の基地局に隣接する第二の基地局に向かって移動中である場合を想定する。携帯移動端末装置は、第一の基地局からの信号の受信電界強度の低下、送信電力の上昇、第二の基地局の信号−干渉比（ＳＩＲ）の増大などを検出すると、それらを判断基準（トリガー）として第一の基地局から第二の基地局へのハンドオーバーを開始している。
【特許文献１】特表２００５−５０９３２７
【発明の開示】
【発明が解決しようとする課題】
【０００５】
近年では、通信方式が相互に異なる複数個の無線インターフェースを備える移動通信端末装置が提案されている。【０００６】
例えば、ＷＬＡＮ方式の無線インターフェースとＷ−ＣＤＭＡ方式の無線インターフェースとを備える移動通信端末装置においては、ＷＬＡＮ方式に従って通信を行っている間にその通信を維持できなくなり、Ｗ−ＣＤＭＡ方式その他の方式に通信方式を切り替えて、通信を再開することがある。【０００７】
しかしながら、通信方式を切り替えて通信を再開する場合、通信を再開するまでに時間がかかるため、音声通話、テレビ電話通話のようなリアルタイムサービスの場合には、ユーザーに対する利便性を著しく低下させる。【０００８】
また、従来行われていたセルラー方式と比較して、パケット通信を基本とするＷＬＡＮ方式では、ユーザー毎に帯域が保障されない。このため、電波品質がよくても、通信が著しく遅延し、音声の途切れや音声の遅延が発生することがあり、ユーザーに対する利便性を著しく低下させることがあった。【０００９】
そのため、受信電界強度のみをハンドオーバーの実行の可否の判断基準にすると、受信品質のみしか考慮することができず、無線区間の通信品質の測定基準としては不十分である。【００１０】
例えば、受信電界強度が高くても、そのエリアの通信が混み合っている場合には、十分なリアルタイムサービス（音声通話やテレビ電話通話）は事実上不可能である。【００１１】
また、受信電界強度が十分であっても、送信電波がアクセスポイントに届かない場合が考えられるため、受信電界強度のみをハンドオーバーの実行タイミングの判断基準にすると、通信の瞬断が発生する場合がある。【００１２】
さらに、アクセスポイントと移動通信端末装置との間の無線リンクの品質は良い場合であっても、アクセスポイントとその先の相手方の移動通信端末装置との間のネットワークが混み合い、十分なリアルタイムサービスが受けられない場合がある。【００１３】
また、ＷＬＡＮ方式その他の事業者免許の不要な無線方式では送信電力が弱いため、送信可能エリアがあまり広くない。そのため、送信可能エリア周辺における通信品質の維持が難しい。【００１４】
さらに、通信方式が相互に異なる複数個の無線インターフェースを備える移動通信端末装置においては、内部干渉が発生するため、ハンドオーバー先の検索に時間がかかることがある。【００１５】
本発明は、以上のような従来の移動無線通信システムにおける問題点に鑑みてなされたものであり、通信を瞬断することなく、すなわち、無瞬断でハンドオーバーを実行することを可能にする移動無線通信システム、同システムにおけるハンドオーバー実行方法、同システムにおける無線局、同システムにおける携帯移動通信端末装置、前記ハンドオーバー実行方法を前記無線局に実行させるためのプログラム、並びに、前記ハンドオーバー実行方法を前記携帯移動通信端末装置に実行させるためのプログラムを提供することを目的とする。
【課題を解決するための手段】
【００１６】
この目的を達成するため、本発明は、通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムであって、前記携帯移動通信端末装置は、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知し、前記通信中の無線局は、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知し、前記携帯移動通信端末装置は、前記検索サーバーから通知される前記新たな無線局との間に第二無線リンクを設定するまで、前記通信中の無線局から通知された前記変更したダウンリンクの送信動作条件（ＤＴＰ）に対応するダウンリンクの受信動作条件（ＤＲＰ）を変更することによって、前記通信中の無線局との間において前記第一無線リンクを維持することを特徴とする移動無線通信システムを提供する。【００１７】
前記無線局は、例えば、ＷＬＡＮ（Ｗｉｒｅｌｅｓｓ  Ｌｏｃａｌ  Ａｒｅａ  Ｎｅｔｗｏｒｋ）機能を有するアクセスポイントから構成される。【００１８】
前記携帯移動通信端末装置は、例えば、受信電界強度、送信電力及びエラーレートに基づき、前記アップリンクの複数の送信動作条件（ＵＴＰ）のうちの少なくとも１つを変更する。【００１９】
前記アップリンクの複数の送信動作条件（ＵＴＰ）のうちの少なくとも１つとしては、例えば、変調方式を選択することができる。【００２０】
前記アップリンクの複数の送信動作条件（ＵＴＰ）のうちの少なくとも１つとしては、例えば、コーディングレートを選択することができる。【００２１】
前記第一無線リンクをＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式により設定する場合、前記アップリンクの複数の送信動作条件（ＵＴＰ）のうちの少なくとも１つとしては、例えば、前記ＯＦＤＭＡのサブチャンネル数を選択することができる。【００２２】
前記通信中の無線局は、前記携帯移動通信端末装置から前記アップリンクの送信動作条件の変更通知を受けると、前記通信中の無線局の受信電界強度、送信電力及びエラーレートに基づき、前記通信中の無線局の前記ダウンリンクの送信動作条件（ＤＴＰ）のうちの少なくとも１つを変更することが好ましい。【００２３】
前記ダウンリンクの送信動作条件（ＤＴＰ）のうちの少なくとも１つとしては、例えば、変調方式を選択することができる。【００２４】
前記ダウンリンクの送信動作条件（ＤＴＰ）のうちの少なくとも１つとしては、例えば、コーディングレートを選択することができる。【００２５】
前記ダウンリンクの送信動作条件（ＤＴＰ）のうちの少なくとも１つとしては、例えば、前記ＯＦＤＭＡのサブチャンネル数を選択することができる。【００２６】
前記携帯移動通信端末装置は、パケットの衝突回数が予め定められた所定値を超えたときに、前記通信中の無線局を介して前記検索要求を前記検索サーバーに送出するように構成することができる。【００２７】
前記携帯移動通信端末装置は、パケットの伝搬遅延が予め定められた所定値を超えたときに、前記通信中の無線局を介して前記検索要求を前記検索サーバーに送出するように構成することができる。【００２８】
前記携帯移動通信端末装置は互いに通信方式の異なる複数の無線インターフェースを備えるものとして構成することができる。この場合、前記携帯移動通信端末装置は、前記複数の無線インターフェースにより前記通信中の無線局を含む複数の無線局と複数の無線リンクを同時に設定し、前記複数の無線インターフェース間の内部干渉を検知し、前記複数の無線インターフェースのうちの１つの無線インターフェースの動作条件を変更して前記内部干渉を解消するように構成することができる。【００２９】
前記携帯移動通信端末装置は、例えば、携帯電話装置から構成することができる。【００３０】
さらに、本発明は、通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおけるハンドオーバー実行方法であって、前記携帯移動通信端末装置が、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知する第一の過程と、前記通信中の無線局が、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知する第二の過程と、前記携帯移動通信端末装置が、前記通信中の無線局から通知された前記変更したダウンリンクの送信動作条件（ＤＴＰ）に対応するダウンリンクの受信動作条件（ＤＲＰ）を変更することによって、前記通信中の無線局との間において前記第一無線リンクを維持する第三の過程と、前記携帯移動通信端末装置が、前記検索サーバーから通知される前記新たな無線局との間に第二無線リンクを設定する第四の過程と、からなることを特徴とするハンドオーバー実行方法を提供する。【００３１】
前記無線局は、例えば、ＷＬＡＮ（Ｗｉｒｅｌｅｓｓ  Ｌｏｃａｌ  Ａｒｅａ  Ｎｅｔｗｏｒｋ）機能を有するアクセスポイントから構成される。【００３２】
前記第一の過程においては、受信電界強度、送信電力及びエラーレートに基づき、前記アップリンクの複数の送信動作条件（ＵＴＰ）のうちの少なくとも１つが変更されることが好ましい。【００３３】
前記アップリンクの複数の送信動作条件（ＵＴＰ）のうちの少なくとも１つとしては、例えば、変調方式を選択することができる。【００３４】
前記アップリンクの複数の送信動作条件（ＵＴＰ）のうちの少なくとも１つとしては、例えば、コーディングレートを選択することができる。【００３５】
前記第一無線リンクをＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式により設定する場合、前記アップリンクの複数の送信動作条件（ＵＴＰ）のうちの少なくとも１つとしては、例えば、前記ＯＦＤＭＡのサブチャンネル数を選択することができる。【００３６】
前記第二の過程において、前記通信中の無線局は、前記携帯移動通信端末装置から前記アップリンクの送信動作条件の変更通知を受けると、前記通信中の無線局の受信電界強度、送信電力及びエラーレートに基づき、前記通信中の無線局の前記ダウンリンクの送信動作条件（ＤＴＰ）のうちの少なくとも１つを変更することが好ましい。【００３７】
前記ダウンリンクの送信動作条件（ＤＴＰ）のうちの少なくとも１つとしては、例えば、変調方式を選択することができる。【００３８】
前記ダウンリンクの送信動作条件（ＤＴＰ）のうちの少なくとも１つとしては、例えば、コーディングレートを選択することができる。【００３９】
前記ダウンリンクの送信動作条件（ＤＴＰ）のうちの少なくとも１つとしては、例えば、前記ＯＦＤＭＡのサブチャンネル数を選択することができる。【００４０】
前記第一の過程において、前記携帯移動通信端末装置が、パケットの衝突回数が予め定められた所定値を超えたときに、前記通信中の無線局を介して前記検索要求を前記検索サーバーに送出することが好ましい。【００４１】
前記第一の過程において、前記携帯移動通信端末装置が、パケットの伝搬遅延が予め定められた所定値を超えたときに、前記通信中の無線局を介して前記検索要求を前記検索サーバーに送出することが好ましい。【００４２】
前記携帯移動通信端末装置は互いに通信方式の異なる複数の無線インターフェースを備えるものとして構成することができる。この場合、本方法は、前記携帯移動通信端末装置が、前記複数の無線インターフェースにより前記通信中の無線局を含む複数の無線局と複数の無線リンクを同時に設定し、前記複数の無線インターフェース間の内部干渉を検知し、前記複数の無線インターフェースのうちの１つの無線インターフェースの動作条件を変更して前記内部干渉を解消する過程をさらに備えることが好ましい。【００４３】
本発明は、通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおける前記無線局であって、前記携帯移動通信端末装置は、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知するものである場合において、前記通信中の無線局は、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知するものであることを特徴とする無線局を提供する。【００４４】
前記無線局は、例えば、ＷＬＡＮ（Ｗｉｒｅｌｅｓｓ  Ｌｏｃａｌ  Ａｒｅａ  Ｎｅｔｗｏｒｋ）機能を有するアクセスポイントから構成される。【００４５】
前記通信中の無線局は、前記携帯移動通信端末装置から前記アップリンクの送信動作条件の変更通知を受けると、前記通信中の無線局の受信電界強度、送信電力及びエラーレートに基づき、前記通信中の無線局の前記ダウンリンクの送信動作条件（ＤＴＰ）のうちの少なくとも１つを変更することが好ましい。【００４６】
前記ダウンリンクの送信動作条件（ＤＴＰ）のうちの少なくとも１つとしては、例えば、変調方式を選択することができる。【００４７】
前記ダウンリンクの送信動作条件（ＤＴＰ）のうちの少なくとも１つとしては、例えば、コーディングレートを選択することができる。【００４８】
前記ダウンリンクの送信動作条件（ＤＴＰ）のうちの少なくとも１つとしては、例えば、前記ＯＦＤＭＡのサブチャンネル数を選択することができる。【００４９】
本発明は、通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおける前記携帯移動通信端末装置であって、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知し、前記通信中の無線局が、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知すると、前記検索サーバーから通知される前記新たな無線局との間に第二無線リンクを設定するまで、前記通信中の無線局から通知された前記変更したダウンリンクの送信動作条件（ＤＴＰ）に対応するダウンリンクの受信動作条件（ＤＲＰ）を変更することによって、前記通信中の無線局との間において前記第一無線リンクを維持することを特徴とする携帯移動通信端末装置を提供する。【００５０】
本発明に係る携帯移動通信端末装置は、受信電界強度、送信電力及びエラーレートに基づき、前記アップリンクの複数の送信動作条件（ＵＴＰ）のうちの少なくとも１つを変更することが好ましい。【００５１】
前記アップリンクの複数の送信動作条件（ＵＴＰ）のうちの少なくとも１つとしては、変調方式を選択することができる。【００５２】
前記アップリンクの複数の送信動作条件（ＵＴＰ）のうちの少なくとも１つとしては、例えば、コーディングレートを選択することができる。【００５３】
本発明に係る携帯移動通信端末装置は、パケットの衝突回数が予め定められた所定値を超えたときに、前記通信中の無線局を介して前記検索要求を前記検索サーバーに送出するものであることが好ましい。【００５４】
本発明に係る携帯移動通信端末装置は、パケットの伝搬遅延が予め定められた所定値を超えたときに、前記通信中の無線局を介して前記検索要求を前記検索サーバーに送出するものであることが好ましい。【００５５】
本発明に係る携帯移動通信端末装置は、互いに通信方式の異なる複数の無線インターフェースを備えるものとして構成することができる。この場合、本発明に係る携帯移動通信端末装置は、前記複数の無線インターフェースにより前記通信中の無線局を含む複数の無線局と複数の無線リンクを同時に設定し、前記複数の無線インターフェース間の内部干渉を検知し、前記複数の無線インターフェースのうちの１つの無線インターフェースの動作条件を変更して前記内部干渉を解消することが好ましい。【００５６】
前記携帯移動通信端末装置は、例えば、携帯電話装置から構成することができる。【００５７】
本発明は、通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおけるハンドオーバー実行方法を前記無線局を構成するコンピュータに実行させるためのプログラムであって、前記プログラムが行う処理は、前記携帯移動通信端末装置が、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知する場合において、前記通信中の無線局が、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知する処理からなるものであるプログラムを提供する。【００５８】
本発明は、通信網と、前記通信網に接続された検索サーバーと、前記通信網に接続された複数の無線局と、前記複数の無線局のうちの任意の１つの無線局と一組のアップリンク及びダウンリンクからなる第一無線リンクを維持しながら通信する携帯移動通信端末装置と、から構成される移動無線通信システムにおけるハンドオーバー実行方法を前記携帯移動通信端末装置を構成するコンピュータに実行させるためのプログラムであって、前記プログラムが行う処理は、前記ダウンリンクの受信電界強度が予め定められた所定値以下になると、通信中の無線局を介して前記検索サーバーに検索要求を送信し、前記検索サーバーに新たな無線局の選択を開始させると同時に、前記アップリンクの複数の送信動作条件（ＵＴＰ）のうちの少なくとも１つを変更し、変更したアップリンクの送信動作条件（ＵＴＰ）を前記通信中の無線局に通知する第一の処理と、前記通信中の無線局が、前記携帯移動通信端末装置から通知された前記変更したアップリンクの送信動作条件（ＵＴＰ）に対応するアップリンクの受信動作条件（ＵＲＰ）を変更すると同時に、前記ダウンリンクの複数の送信動作条件（ＤＴＰ）のうちの少なくとも１つを変更し、変更したダウンリンクの送信動作条件（ＤＴＰ）を前記携帯移動通信端末装置に通知する場合において、前記通信中の無線局から通知された前記変更したダウンリンクの送信動作条件（ＤＴＰ）に対応するダウンリンクの受信動作条件（ＤＲＰ）を変更することによって、前記通信中の無線局との間において前記第一無線リンクを維持する第二の処理と、前記検索サーバーから通知される前記新たな無線局との間に第二無線リンクを設定する第三の処理と、からなるものであるプログラムを提供する。
【発明の効果】
【００５９】
本発明に係る移動無線通信システムによれば、携帯移動通信端末装置は、ハンドオーバー先である無線局との間に新たな無線リンクを設定するまでの間、送受信動作条件を変更することによって、通信中の無線局との間において無線リンクを協同で維持する。このため、ダウンリンクの受信電界強度が予め定められた所定値以下になった時点からできるだけ長い時間、通信の連続性が保証され、無線リンクの品質を安定させることができる。すなわち、無瞬断でハンドオーバーを実行することを保証することが可能である。
【図面の簡単な説明】
【００６０】
【図１】本発明の第一の実施形態に係る移動無線通信システムの概念図である。
【図２】本発明の第一の実施形態に係る移動無線通信システムにおける携帯移動通信端末装置の構造を示すブロック図である。
【図３】本発明の第一の実施形態に係る移動無線通信システムにおける携帯移動通信端末装置に内蔵される制御回路の構成の一例を示すブロック図である。
【図４】本発明の第一の実施形態に係る移動無線通信システムにおける第一の無線局の構造を示すブロック図である。
【図５】本発明の第一の実施形態に係る移動無線通信システムにおける携帯移動通信端末装置の制御回路の動作を表すフローチャートである。
【図６】本発明の第一の実施形態に係る移動無線通信システムにおける第一の無線局の制御回路の動作を示すフローチャートである。
【符号の説明】
【００６１】
１００  通信網
１０３  第一の無線局
１０４  第二の無線局
１０２  検索サーバー
１０５  携帯移動通信端末装置
１０６  対向通信端末装置
２０１  ＯＦＤＭＡ方式の無線インターフェース
２０２  Ｗ−ＣＤＭＡ方式の無線インターフェース
２０３  復号器
２０４  パケット分解回路
２０５  パケット組立回路
２０６  符号器
２０７  測定回路
２０８  コーデック
２０９  制御回路
２１０  エラーレート測定回路
２１１  パケット衝突検出回路
２１２  往復伝搬遅延測定回路
２２１  受信電界強度測定回路
２２２  送信電力測定回路
３０１  ＯＦＤＭＡ方式の無線インターフェース
３０２  復号器
３０３  ネットワークインターフェース
３０４  符号器
３０５  エラーレート測定回路
３０６  測定回路
３０７  制御回路
【発明を実施するための最良の形態】
【００６２】
図１は本発明の第一の実施形態に係る移動無線通信システムの概念図である。【００６３】
本実施形態に係る移動無線通信システムは、通信網１００と、通信網１００に接続された検索サーバー１０２と、通信網１００に接続された複数の無線局（図１においては、第一の無線局１０３及び第二の無線局１０４のみを示す）と、複数の無線局のうちの任意の１つの無線局と一組のアップリンク及びダウンリンクからなる第一無線リンクを維持しながら通信する携帯移動通信端末装置１０５と、から構成される。【００６４】
通信網１００は、例えば、インターネットから構成されている。【００６５】
検索サーバー１０２は各無線局の位置を示すデータベースを備えている。検索サーバー１０２は、携帯移動通信端末装置１０５から検索要求を受信すると、データベースを検索し、携帯移動通信端末装置１０５の位置及び携帯移動通信端末装置１０５が移動する方向に基づいて、携帯移動通信端末装置１０５の近辺に位置する無線局を特定する。【００６６】
第一の無線局１０３及び第二の無線局１０４はＷＬＡＮアクセスポイントまたは移動通信網基地局から構成される。本実施形態においては、第一の無線局１０３はＷＬＡＮアクセスポイントからなり、第二の無線局１０４はＷＬＡＮアクセスポイントまたは移動通信網基地局からなるものとする。【００６７】
携帯移動通信端末装置１０５は、例えば、携帯電話装置から構成されている。【００６８】
図１は、携帯移動通信端末装置１０５が第一の無線局１０３と無線リンクを設定し、対向通信端末装置１０６と通信網１００を介して通信中であり、この通信中に矢印Ａで示す方向に移動を始め、その結果、第二の無線局１０４に近づいている状態を示している。【００６９】
図２は本実施形態における携帯移動通信端末装置１０５の構造を示すブロック図である。【００７０】
図２に示すように、携帯移動通信端末装置１０５は、ＯＦＤＭＡ(Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ)方式の無線インターフェース２０１と、Ｗ−ＣＤＭＡ（ＷｉｄｅｂａｎｄＣｏｄｅ  Ｄｉｖｉｓｉｏｎ  Ｍｕｌｔｉｐｌｅ  Ａｃｃｅｓｓ）方式の無線インターフェース２０２と、復号器２０３と、パケット分解回路２０４と、パケット組立回路２０５と、符号器２０６と、測定回路２０７と、コーデック２０８と、制御回路２０９と、エラーレート測定回路２１０と、パケット衝突検出回路２１１と、往復伝搬遅延測定回路２１２と、アンテナ２１３と、を備えている。【００７１】
ＯＦＤＭＡ方式の無線インターフェース２０１はＷＬＡＮアクセスポイントから構成される無線局との間に複数のサブチャンネルを設定する。【００７２】
Ｗ−ＣＤＭＡ方式の無線インターフェース２０２は、移動通信網基地局からなる無線局との間にスペクトラム拡散チャンネルを設定する。【００７３】
携帯移動通信端末装置１０５と対向通信端末装置１０６との間の送受話信号の授受はコーデック(Ｃｏｄｅｃ)２０８及びＷ−ＣＤＭＡ方式の無線インターフェース２０２を介して行われる。【００７４】
アンテナ２１３を介してＯＦＤＭＡ方式の無線インターフェース２０１において受信した信号は復号器２０３で復号され、パケット分解回路２０４において元のデジタル信号に変換される。【００７５】
送信用のユーザデータはパケット組立回路２０５においてパケットに組み立てられた後、符号器２０６において符号化され、次いで、ＯＦＤＭＡ方式の無線インターフェース２０１及びアンテナ２１３を介して送信される。【００７６】
図３は制御回路２０９の構成の一例を示すブロック図である。【００７７】
制御回路２０９は、中央処理装置（ＣＰＵ）２０９１と、第一のメモリー２０９２と、第二のメモリー２０９３と、各種命令及びデータを中央処理装置２０９１に入力するための入力インターフェース２０９４と、中央処理装置２０９１により実行された処理の結果を出力する出力インターフェース２０９５と、中央処理装置２０９１と他の構成要素とを接続するバス２０９６と、から構成されている。【００７８】
第一及び第二のメモリー２０９２、２０９３の各々は、リード・オンリー・メモリー（ＲＯＭ）、ランダム・アクセス・メモリー（ＲＡＭ）またはＩＣメモリーカードなどの半導体記憶装置、フレキシブルディスクなどの記憶媒体、ハードディスク、あるいは、光学磁気ディスクなどからなる。本実施形態においては、第一のメモリー２０９２はＲＯＭからなり、第二のメモリー２０９３はＲＡＭからなる。【００７９】
第一のメモリー２０９２は中央処理装置２０９１が実行するための各種の制御用プログラムその他の固定的なデータを格納している。第二のメモリー２０９３は様々なデータ及びパラメータを記憶しているとともに、中央処理装置２０９１に対する作動領域を提供する、すなわち、中央処理装置２０９１がプログラムを実行する上で一時的に必要とされるデータを格納している。【００８０】
中央処理装置２０９１は第一のメモリー２０９２からプログラムを読み出し、そのプログラムを実行する。すなわち、中央処理装置２０９１は第一のメモリー２０９２に格納されているプログラムに従って作動する。【００８１】
測定回路２０７は、受信電界強度測定回路２２１と送信電力測定回路２２２とから構成されている。測定回路２０７はＯＦＤＭＡ方式の無線インターフェース２０１及びＷ−ＣＤＭＡ方式の無線インターフェース２０２に接続されている。受信電界強度測定回路２２１は受信電界強度を測定し、測定した受信電界強度を表す信号を制御回路２０９に送信し、送信電力測定回路２２２は携帯移動通信端末装置１０５の送信電力を測定し、測定した送信電力を表す信号を制御回路２０９に送信する。【００８２】
エラーレート測定回路２１０は復号器２０３の出力に接続されており、ＯＦＤＭＡ方式の無線インターフェース２０１において受信した受信信号のエラーレートを測定し、測定したエラーレートの値を制御回路２０９に送信する。【００８３】
制御回路２０９は、受信電界強度測定回路２２１から受信した受信電界強度、送信電力測定回路２２２から受信した送信電力、エラーレート測定回路２１０から受信したエラーレートの３つの測定値に基づいて、携帯移動通信端末装置１０５と第一の無線局１０３との間の無線リンクの品質を判定する。【００８４】
例えば、第一の無線局（アクセスポイント）１０３から送信される信号が携帯移動通信端末装置１０５に届きやすく、かつ、携帯移動通信端末装置１０５から送信される信号が第一の無線局（アクセスポイント）１０３に届き易い場合、制御回路２０９は携帯移動通信端末装置１０５と第一の無線局１０３との間の無線リンクは高品質であると判断する。【００８５】
制御回路２０９は、この判定結果に基づいて、後述のように、携帯移動通信端末装置１０５の各種の送信条件（プロファイル）を変更する。【００８６】
制御回路２０９は受信電界強度が所定値以下になると、パケット組立回路２０５、符号器２０６、ＯＦＤＭＡ方式の無線インターフェース２０１及びアンテナ２１３を介して検索要求パケットを検索サーバー１０２に送信する。【００８７】
さらに、それと同時に、制御回路２０９は、前述の３つの測定値に基づいて、アップリンクの変調方式、サブチャンネル数及びコーディングレートを決定し、ＯＦＤＭＡ方式の無線インターフェース２０１と符号器２０６とを再設定し、これら決定したアップリンクの動作条件をパケット組立回路２０５から制御パケット（プロファイル変更要求）として第一の無線局１０３に送信する。【００８８】
第一の無線局１０３は、携帯移動通信端末装置１０５から制御パケットを受信すると、第一の無線局１０３の側から測定した前述の３つの測定値に基づいて、ダウンリンクの変調方式、サブチャンネル数及びコーディングレートを決定し、さらに、ダウンリンクの変調方式、サブチャンネル数及びコーディングレートを決定した値に再設定すると同時に、決定したダウンリンクの動作条件を携帯移動通信端末装置１０５に通知する。【００８９】
第一の無線局１０３から携帯移動通信端末装置１０５に送信されたダウンリンクの動作条件を示す信号は携帯移動通信端末装置１０５のパケット分解回路２０４において受信制御データに変換された後、制御回路２０９に供給される。制御回路２０９は、この受信制御データに基づいて、ＯＦＤＭＡ方式のインターフェース２０１の復調方式及びサブチャンネル数を変更する。【００９０】
パケット衝突検出回路２１１はパケットの衝突を検出する。パケット衝突検出回路２１１はパケット組立回路２０５とパケット分解回路２０４とに接続されており、携帯移動通信端末装置１０５から送信されてきたパケットが伝送路上において他のパケットと衝突した回数を検出し、前述の無線リンク以外の通信品質を判断する。【００９１】
同一エリア内において通信量が増大した場合、携帯移動通信端末装置１０５は他の携帯移動通信端末装置の送信と衝突しないようにデータを送信するが、衝突回数が多いほどエリア内の通信品質に対する評価は低くなる。【００９２】
往復伝搬遅延測定回路２１２はパケット組立回路２０５とパケット分解回路２０４とに接続されており、携帯移動通信端末装置１０５が送信したパケットが対向通信端末装置１０６において受信され、さらに、対向通信端末装置１０６からの返信パケットが携帯移動通信端末装置１０５に届くまでの往復伝搬時間を測定する。【００９３】
往復伝搬時間の測定結果は制御回路２０９に送信され、制御回路２０９は測定された往復伝搬時間が標準往復伝搬時間からどの程度遅延しているかに応じて、携帯移動通信端末装置１０５と対向通信端末装置１０６との間の通信品質を判断する。【００９４】
具体的には、第一の無線局１０３と対向通信端末装置１０６との間には多数のルーターが存在するため、これらのルーターを通る他の通信の量に影響されて、携帯移動通信端末装置１０５から対向通信端末装置１０６までに信号が届く時間は変化する。制御回路２０９は、この伝搬遅延時間が短いほど、携帯移動通信端末装置１０５と対向通信端末装置１０６との間のネットワーク上の通信を高品質と判断し、伝搬遅延時間が長くなるほど、低品質と判断する。【００９５】
さらに、制御回路２０９は、パケット衝突検出回路２１１から出力された信号に示されるパケットの衝突回数を予め定められた所定値と比較し、パケットの衝突回数が予め定められた所定値以上である場合には、検索サーバー１０２に対して検索要求を送信する。【００９６】
また、制御回路２０９は、往復伝搬遅延測定回路２１２から出力された信号に示される往復伝搬時間を予め定められた所定値と比較し、往復伝搬時間が予め定められた所定値以上である場合にも、検索サーバー１０２に対して検索要求を送信する。【００９７】
測定回路２０７は、さらに、ＯＦＤＭＡ方式の無線インターフェース２０１及びＷ−ＣＤＭＡ方式の無線インターフェース２０２が同時に作動したときに両者間で発生する内部干渉の有無を監視し、内部干渉を検出すると、内部干渉を検出したことを示す信号２０７ａを制御回路２０９に送信する。【００９８】
内部干渉が検出されたことを示す信号２０７ａを受信すると、制御回路２０９は、Ｗ−ＣＤＭＡ方式の無線インターフェース２０２の無線プロファイルを変更し、内部干渉を停止させる。ハンドオーバー中ではない場合には、ＯＦＤＭＡ方式の無線インターフェース２０１の無線プロファイルを変更することにより、内部干渉を停止させることも可能である。【００９９】
図４は第一の無線局１０３の構造を示すブロック図である。【０１００】
図４に示すように、第一の無線局１０３は、ＯＦＤＭＡ方式の無線インターフェース３０１と、復号器３０２と、ネットワークインターフェース３０３と、符号器３０４と、エラーレート測定回路３０５と、測定回路３０６と、制御回路３０７と、アンテナ３０８と、から構成されている。【０１０１】
携帯移動通信端末装置１０５から送信されてきた信号はＯＦＤＭＡ方式の無線インターフェース３０１において受信され、復号器３０２に入力され、復号器３０２において復号される。【０１０２】
復号された受信信号はネットワークインターフェース３０３を介して通信網１００に送信され、通信網１００を介して対向通信端末装置１０６に送信される。【０１０３】
対向通信端末装置１０６から送信されてきた信号は通信網１００を介してネットワークインターフェース３０３に入力され、符号器３０４において符号化される。次いで、ＯＦＤＭＡ方式の無線インターフェース３０１から携帯移動通信端末装置１０５に送信される。【０１０４】
エラーレート測定回路３０５は復号器３０２の出力側に接続されており、携帯移動通信端末装置１０５から送信されてきた信号のエラーレートを測定し、その測定結果を制御回路３０７に通知する。【０１０５】
測定回路３０６は、受信電界強度測定回路３１１と送信電力測定回路３１２とから構成されている。測定回路３０６はＯＦＤＭＡ方式の無線インターフェース３０１に接続されている。受信電界強度測定回路３１１は受信電界強度を測定し、測定した受信電界強度を表す信号を制御回路３０７に送信し、送信電力測定回路３１２は第一の無線局１０３の送信電力を測定し、測定した送信電力を表す信号を制御回路３０７に送信する。【０１０６】
制御回路３０７は、図３に示した携帯移動通信端末装置１０５の制御回路２０９と同様の構造を有している。すなわち、制御回路３０７における中央処理装置は第一のメモリーからプログラムを読み出し、そのプログラムを実行する。すなわち、制御回路３０７における中央処理装置は第一のメモリーに格納されているプログラムに従って作動する。【０１０７】
制御回路３０７は、携帯移動通信端末装置１０５から検索要求を受信すると、ネットワークインターフェース３０３を介して検索サーバー１０２に検索要求パケットを送信し、その回答をＡＰ（アクセスポイント）指定データとして受信する。【０１０８】
さらに、制御回路３０７は、プロファイル変更要求を携帯移動通信端末装置１０５から受信した場合、第一の無線局１０３における受信電界強度、送信電力及び受信信号のエラーレートに基づいて、変調方式、サブチャンネル数及びコーディングレートを決定し、関係機器をこれらの値に再設定すると同時に、携帯移動通信端末装置１０５に通知する。【０１０９】
図５は本実施形態に係る移動無線通信システムにおける携帯移動通信端末装置１０５の制御回路２０９の動作を表すフローチャートである。【０１１０】
以下、図５を参照して、本実施形態における携帯移動通信端末装置１０５の制御回路２０９の動作を説明する。【０１１１】
現段階では、携帯移動通信端末装置１０５はＯＦＤＭＡ方式の無線インターフェース２０１を使用し、ＷＬＡＮアクセスポイントからなる第一の無線局１０３との間に無線リンクが設定されていると仮定する。【０１１２】
まず、制御回路２０９は、第一の無線局１０３から送信されてきた信号の受信電界強度が予め定められた所定値以下になったか否かを判定する（ステップ４０１）。【０１１３】
第一の無線局１０３から送信されてきた信号の受信電界強度が予め定められた所定値以下である場合には（ステップ４０１のＹＥＳ）、制御回路２０９は検索サーバー１０２に検索要求パケットを送信する（ステップ４０２）。【０１１４】
次いで、制御回路２０９はダウンリンクの受信電界強度とアップリンクの送信電力を表す値を測定回路２０７から、ダウンリンクのエラーレートを表す値をエラーレート測定回路２１０から受け取り、携帯移動通信端末装置１０５のアップリンクの複数の送信動作条件を表すアップリンク送信側プロファイル（ＵＴＰ）（変調方式、送信用サブチャンネル数、アップリンクのコーディングレート）を決定する（ステップ４０３）。【０１１５】
次いで、制御回路２０９は、アップリンク送信側プロファイル（ＵＴＰ）の変更に伴い、第一の無線局１０３におけるアップリンク受信側プロファイル（ＵＲＰ）変更要求メッセージとして携帯移動通信端末装置１０５が決定したアップリンク送信側プロファイル（ＵＴＰ）の変更内容を第一の無線局１０３に送信する（ステップ４０４）。【０１１６】
次いで、制御回路２０９は、第一の無線局１０３からダウンリンク受信側プロファイル（ＤＲＰ）変更要求メッセージを受信する（ステップ４０５）。【０１１７】
次いで、制御回路２０９は、先に決定したアップリンク送信側プロファイル（ＵＴＰ）と第一の無線局１０３から受信したダウンリンク受信プロファイル（ＤＲＰ）とに基づき、携帯移動通信端末装置１０５における変調方式、復調方式、送信サブチャンネル数、受信サブチャンネル数、およびコーディングレートを変更する（ステップ４０６）。【０１１８】
このように変調方式を変えることは送信信号をより遠方に到達させるためである。【０１１９】
具体的には、６４ＱＡＭを１６ＱＡＭまたは４ＰＳＫなどの変調レートの低い変調方式に変更すると、同じ送信電力でも変調レートの低い方式の方が変調レートの高い方式よりも信号の到達距離が長い。【０１２０】
また、コーディングレートを冗長情報が増える方向に変更することにより、エラー修正能力が向上し、データを容易に復元することができる。【０１２１】
更に、サブチャンネルの数を減らし、サブチャンネル一つ当たりのエネルギー密度を上げることによって、信号の到達距離を増大させることができる。【０１２２】
次いで、制御回路２０９は、検索サーバー１０２から候補無線局のリストを取得し、そのうちの最適の候補局を選択する（ステップ４０７）。【０１２３】
その後、制御回路２０９は、選択した無線局が移動通信網の基地局であるか否かを判定する（ステップ４０８）。すなわち、選択した無線局が移動通信網の基地局であるか、あるいは、無線アクセスポイントであるかを判定する。【０１２４】
選択した無線局が無線アクセスポイントである場合には（ステップ４０８のＮＯ）、制御回路２０９は、現在使用中のＯＦＤＭＡ方式の無線インターフェース２０１を使用して、新たに選択された基地局との間に無線リンクを設定し、新たに選択された基地局に対向通信端末装置１０６のアドレスを通知する（ステップ４１２）。【０１２５】
次いで、制御回路２０９は旧無線リンクを開放する（ステップ４１３）。【０１２６】
この後、制御回路２０９はステップ４０１以降のステップを再度実施する。【０１２７】
選択した無線局が移動通信網の基地局である場合には（ステップ４０８のＹＥＳ）、制御回路２０９はＷ−ＣＤＭＡ方式の無線インターフェース２０２を使用して、新たに選択された基地局との間に無線リンクを設定し、新たに選択された基地局に対向通信端末装置１０６のアドレスを通知する（ステップ４０９）。【０１２８】
次いで、制御回路２０９は、測定回路２０７からの信号２０７ａに基づいて、ＯＦＤＭＡ方式の無線インターフェース２０１とＷ−ＣＤＭＡ方式の無線インターフェース２０２との間の内部干渉の有無を判定する（ステップ４１０）。【０１２９】
内部干渉がない場合には（ステップ４１０のＮＯ）、制御回路２０９は旧無線リンクを開放する（ステップ４１３）。【０１３０】
内部干渉があった場合には（ステップ４１０のＹＥＳ）、制御回路２０９はＷ−ＣＤＭＡ方式の無線インターフェース２０２の無線プロファイルを変更することにより、内部干渉を防止する（ステップ４１１）。【０１３１】
次いで、制御回路２０９は旧無線リンクを開放する（ステップ４１３）。【０１３２】
この後、制御回路２０９は前述のステップ４０１以降のステップを再度実施する。【０１３３】
第一の無線局１０３から送信されてきた信号の受信電界強度が予め定められた所定値を超えている場合には（ステップ４０１のＮＯ）、制御回路２０９は、パケット衝突検出回路２１１から送信される信号が示すパケット衝突回数が予め定められた所定値を超えているか否かを判定する（ステップ４２１）。【０１３４】
パケット衝突回数が予め定められた所定値を超えている場合には（ステップ４２１のＹＥＳ）、制御回路２０９は検索サーバー１０２に検索要求を送信する（ステップ４２３）。【０１３５】
以後、制御回路２０９はステップ４０７以降のステップを実施することにより、新たな無線局を決定し、この新たな無線局との間に新たに無線リンクを設定する（ステップ４０７−４１３）。【０１３６】
パケット衝突回数が予め定められた所定値以下である場合には（ステップ４２１のＮＯ）、制御回路２０９は、往復伝搬遅延測定回路２１２からの信号に基づいて決定されるパケットの往復伝搬遅延が予め定められた所定値を超えているか否かを判定する（ステップ４２２）。【０１３７】
パケットの往復伝搬遅延が予め定められた所定値を超えている場合には（ステップ４２２のＹＥＳ）、制御回路２０９は検索サーバー１０２に検索要求を送信する（ステップ４２３）。【０１３８】
パケットの往復伝搬遅延が予め定められた所定値以下である場合には（ステップ４２２のＮＯ）、制御回路２０９は前述のステップ４０１以降のステップを再度実施する。【０１３９】
図６は、第一の無線局１０３の制御回路３０７の動作を示すフローチャートである。【０１４０】
以下、図６を参照して、第一の無線局１０３の制御回路３０７の動作を説明する。【０１４１】
第一の無線局１０３の制御回路３０７は、常時、携帯移動通信端末装置１０５からアップリンク受信プロファイル（ＵＲＰ）変更要求メッセージ（図４のステップ４０４）を受信したか否かをモニターしている（ステップ５０１）。【０１４２】
携帯移動通信端末装置１０５からアップリンク受信プロファイル（ＵＲＰ）変更要求メッセージを受信すると（ステップ５０１のＹＥＳ）、制御回路３０７は、アップリンク受信電界強度とダウンリンクの送信電力とを測定回路３０６の受信電界強度測定回路３１１及び送信電力測定回路３１２からそれぞれ取得するとともに、アップリンクのエラーレートをエラーレート測定回路３０５から取得する。次いで、制御回路３０７は、これらの値に基づいて、ダウンリンク送信プロファイル(ＤＴＰ)(変調方式、送信サブチャンネル数、コーディングレート)を決定する。【０１４３】
次いで、制御回路３０７は、ダウンリンク送信プロファイル（ＤＴＰ)をダウンリンク受信プロファイル(ＤＲＰ)変更要求として携帯移動通信端末装置１０５に送信する（ステップ５０３）。【０１４４】
次に、制御回路３０７は、携帯移動通信端末装置１０５から取得したアップリンク受信プロファイル(ＵＲＰ)とダウンリンク送信プロファイル(ＤＴＰ)とに基づいて、携帯移動通信端末装置１０５の変調方式、復調方式、送信サブチャンネル数、受信サブチャンネル数、アップリンクのコーディングレートを変更する（ステップ５０４）。【０１４５】
以後、制御回路３０７は前述のステップ５０１以降のステップを繰り返して実施する。【０１４６】
携帯移動通信端末装置１０５からアップリンク受信プロファイル（ＵＲＰ）変更要求メッセージを受信していない場合には（ステップ５０１のＮＯ）、制御回路３０７は、携帯移動通信端末装置１０５から検索要求を受信したか否か判定する（ステップ５１１）。【０１４７】
携帯移動通信端末装置１０５から検索要求を受信した場合（ステップ５１１のＹＥＳ）、制御回路３０７は、受信した検索要求を検索サーバー１０２に転送する（ステップ５１２）。【０１４８】
以後、制御回路３０７は前述のステップ５０１以降のステップを繰り返して実施する。【０１４９】
仮に、ある無線局が検索サーバー１０２から無線局の候補リストを受け取った場合、その無線局はハンドオーバー先の無線アクセスポイントまたは移動無線通信網の基地局からなる第二の無線局１０４である。この場合には、第一の無線局１０３は携帯移動通信端末装置１０５から検索要求を受信していないことになる（ステップ５１１のＮＯ）。【０１５０】
このため、以下に述べるステップ５２１乃至５２４（破線で囲まれたステップ）は第二の無線局１０４により実行される。【０１５１】
第二の無線局１０４は、検索サーバー１０２から無線局の候補リストを受け取ったか否かを判定する（ステップ５２１）。【０１５２】
検索サーバー１０２から無線局の候補リストを受け取った場合には（ステップ５２１のＹＥＳ）、第二の無線局１０４は、携帯移動通信端末装置１０５に対して無線リンクを設定し、無線局の候補リストを携帯移動通信端末装置１０５に送信する（ステップ５２２）。【０１５３】
さらに、第二の無線局１０４は、携帯移動通信端末装置１０５から対向通信端末装置１０６のアドレスを受け取る（ステップ５２３）。【０１５４】
次いで、第二の無線局１０４は、このアドレスに基づいて、通信網１００を介して対向通信端末装置１０６に対して無線リンクを設定する（ステップ５２４）。【０１５５】
以後、制御回路３０７は前述のステップ５０１以降のステップを繰り返して実施する。【０１５６】
以上のように、本実施形態に係る移動無線通信システムにおいては、携帯移動通信端末装置１０５は、その受信電界強度が予め定められた所定値以下になると、第一の無線局１０３との無線リンクをできるだけ長時間維持するため、その複数の送信条件（プロファイル）を複数の動作パラメータに基づき変更し、変更したプロファイルを通信中の第一の無線局１０３に通知する。【０１５７】
この変更処理に先立ち携帯移動通信端末装置１０５は検索サーバー１０２に検索要求を第一の無線局１０３経由で送信し、新しい無線局の検索を要求する。【０１５８】
検索サーバー１０２はデータベースを検索し、携帯移動通信端末装置１０５の現在位置に基づいて新たな無線局としての第二の無線局１０４を選択し、この新たな無線局の識別番号を第一の無線局１０３を経由して携帯移動通信端末装置１０５に通知する。【０１５９】
携帯移動通信端末装置１０５は、この通知に応じてハンドオーバーを開始し、第二の無線局１０４との間に無線リンクを設定し、さらに、対向通信端末装置１０６のアドレスを第二の無線局１０４に通知する。【０１６０】
第二の無線局１０４はこの通知に応答して、通信網１００を介して対向通信端末装置１０６に無線リンクを設定する。これにより、第一の無線局１０３から第二の無線局１０４へのハンドオーバーが完成する。【０１６１】
このように、本実施形態に係る移動無線通信システムによれば、携帯移動通信端末装置１０５は、ハンドオーバー先である第二の無線局１０４との間に新たな無線リンクを設定するまでの間、第一の無線局１０３と通信中の無線リンクを協同で維持することになるため、ダウンリンクの受信電界強度が予め定められた所定値以下になった時点からできるだけ長い時間、通信の連続性が保証され、無線リンクの品質を安定させることができる。すなわち、無瞬断でハンドオーバーが実行される。
【産業上の利用可能性】
【０１６２】
本発明は携帯移動通信技術とＩＰ（インターネットプロトコル）技術を統合するシステムに最適のハンドオーバー技術を提供する。【０１６３】
さらに、本発明は、ＯＦＤＭＡ方式とＷ−ＣＤＭＡ方式の各無線インターフェースを使用し、異なるシステム間のハンドオーバーを可能にする。例えば、本発明は、ＷＬＡＮとＷ−ＣＤＭＡとの間のハンドオーバー、さらには、ＷｉＭＡＸ、ブルートゥース、iＢｕｒｓｔ、ワイヤレスＵＳＢ等と従来のセルラーシステムとの間のハンドオーバーに対して適用することができる。
【図１】
2007129595.tif 000003
【図２】
2007129595.tif 000004
【図３】
2007129595.tif 000005
【図４】
2007129595.tif 000006
【図５】
2007129595.tif 000007
【図６】
2007129595.tif 000008
【国際調査報告】
2007129595.tif 000009
2007129595.tif 000010
2007129595.tif 000011